(57)【特許請求の範囲】
【請求項１】
ケースと、このケースの内底部に並設された支持端末および固定接触子と、この固定接触子に接離可能であって前記支持端子に傾動可能に支持された略Ｖ字形状の可動接触子と、前記ケースに往復動可能に挿設されたスライダと、このスライダと前記可動接触子の一端部との間に介設された圧縮コイルばねとを備え、前記スライダの押圧操作に伴って前記圧縮コイルばねが圧縮しながら前記可動接触子の一端部を押し込んでいき、この一端部が死点を越えると該可動接触子が傾動して前記固定接触子に当接するようにしたプッシュスイッチであって、
前記可動接触子の他端部に被駆動部を設けるとともに、前記スライダの内側面に前記被駆動部が挿入される凹状の駆動部を設け、前記スライダの往復動時に前記駆動部を前記被駆動部と係合させて前記可動接触子を強制的に傾動させるように構成したことを特徴とするプッシュスイッチ。
【請求項２】
請求項１の記載において、前記圧縮コイルばねから前記可動接触子に付与される弾発力の向きを、該可動接触子の回動面に対して非平行な向きに設定することにより、該可動接触子のうち前記支持端子上に搭載される部分の一側面が該支持端子の壁面に常時弾接するように構成したことを特徴とするプッシュスイッチ。
【発明の詳細な説明】
【０００１】
【発明の属する技術分野】
本発明は、電源スイッチなどに用いて好適なプッシュスイッチに関する。
【０００２】
【従来の技術】
電源スイッチなどに用いられるプッシュスイッチには、通常、押圧操作したときにオン・オフの接点切替が明確に行われる速動反転機構が採用されている。
【０００３】
このようなプッシュスイッチとしては、従来、例えば実公昭６０−３３５４３号公報に記載されているように、上蓋を有し内底部に支持端子と固定接触子とが並設されているケースと、前記支持端子に傾動可能に支持されて前記固定接触子に接離可能な可動接触子と、この可動接触子に常時弾発力を付与する圧縮コイルばねと、前記ケースに往復動可能に挿設されて前記圧縮コイルばねが側方（可動接触子側）へ突出するように組み付けてあるスライダ（操作子）と、このスライダを押圧操作方向とは逆向きに付勢する復帰ばねとを備えた構成のものが知られている。かかる従来のプッシュスイッチは、オフ状態でスライダを押圧操作すると、このスライダに駆動される圧縮コイルばねが圧縮しながら可動接触子の一端部を押し込んでいくが、この一端部が死点を越えると可動接触子は勢いよく傾動して固定接触子に当接するので、可動接触子を介して固定接触子と支持端子とが導通されるオン状態に切り替わるようになっている。また、オン状態でスライダのロックを解除すると、復帰ばねの弾発力で押圧操作方向とは逆向きに移動するスライダが圧縮コイルばねを駆動して、この圧縮コイルばねから弾発力を受けている可動接触子の一端部が死点を越えた瞬間に、該可動接触子は固定接触子から離間する向きに勢いよく傾動してオフ状態に切り替わるようになっている。
【０００４】
【発明が解決しようとする課題】
上述した従来のプッシュスイッチは、オフからオン状態へ切り替わる際に、圧縮量を増大させたコイルばねが瞬間的に伸長しながら可動接触子を固定接触子に当接させるという動作を行う関係上、圧縮コイルばねの弾発力が弱まる過程で両接触子が当接することになり、それゆえ可動接触子が固定接触子に当接した直後に跳ね上がるというバウンスを起こしやすかった。また、圧縮コイルばねの弾発力が弱まる過程で両接触子が当接することから、可動接触子のうち支持端子上に搭載されている支点部にもバウンスが起こりやすかった。そして、このようなバウンスが起こると、可動接触子と固定接触子との間、あるいは可動接触子と支持端子との間に、高温のアークが発生しやすくなるので、アーク熱により両接触子や支持端子が焼損して信頼性や製品寿命に重大な悪影響を及ぼす。
【０００５】
【課題を解決するための手段】
本発明は、スライダの往復動時に該スライダに設けた駆動部によって可動接触子を強制的に傾動させて固定接触子に当接させ、このときに該可動接触子とスライダとの間に介設した圧縮コイルばねの弾発力が速やかに増大するようにした。このように構成すると、オフからオン状態へ切り替わる際に懸念されていた可動接触子のバウンスが大幅に低減でき、もって信頼性や寿命が向上できるようにした。
【０００６】
【発明の実施の形態】
本発明のプッシュスイッチでは、ケースと、このケースの内底部に並設された支持端末および固定接触子と、この固定接触子に接離可能であって前記支持端子に傾動可能に支持された略Ｖ字形状の可動接触子と、前記ケースに往復動可能に挿設されたスライダと、このスライダと前記可動接触子の一端部との間に介設された圧縮コイルばねとを備え、前記スライダの押圧操作に伴って前記圧縮コイルばねが圧縮しながら前記可動接触子の一端部を押し込んでいき、この一端部が死点を越えると該可動接触子が傾動して前記固定接触子に当接するようにしたプッシュスイッチであって、前記可動接触子の他端部に被駆動部を設けるとともに、前記スライダの内側面に前記被駆動部が挿入される凹状の駆動部を設け、前記スライダの往復動時に前記駆動部を前記被駆動部と係合させて前記可動接触子を強制的に傾動させるように構成した。
【０００７】
このように構成されるプッシュスイッチは、スライダを押圧操作してオフからオン状態へと切り替える際に、該スライダの内側面に設けた凹状の前記駆動部が可動接触子の被駆動部と係合して該可動接触子を強制的に傾動させていき、該可動接触子が死点を越えて傾動して勢いよく固定接触子へ向かうと、押圧操作の慣性力を受けるスライダによって該可動接触子を前記圧縮コイルばねを介して背後から押し込むことができる。そのため、可動接触子が固定接触子に当接するとき、前記圧縮コイルばねの弾発力を速やかに増大させることができて、該可動接触子が該固定接触子上で起こすバウンスを大幅に低減することができる。しかも、前記圧縮コイルばねは可動接触子に弾発力を付与するだけでなく、押圧操作されたスライダを初期位置へと自動復帰させる復帰ばねの役目も果たしているので、部品点数も削減できる。
【０００８】
また、かかる構成に加えて、前記圧縮コイルばねから可動接触子に付与される弾発力の向きを、該可動接触子の回動面に対して非平行な向きに設定することにより、該可動接触子のうち前記支持端子上に搭載される部分（支点部）の一側面が該支持端子の壁面に常時弾接するように構成すれば、可動接触子が支持端子上で起こすバウンスも大幅に低減できる。
【０００９】
【実施例】
本発明によるプッシュスイッチの一実施例を図１ないし図５に基づいて説明すると、図１の分解斜視図に示すように、このプッシュスイッチは、内底部に支持端子２および固定接触子３が並設されるケース１と、支持端子２の凹部底面２ａ上に搭載されて傾動可能に支持されるとともに固定接触子３に対して接点部４ａが接離可能な可動接触子４と、この可動接触子４を傾動させてオン・オフの接点切替を行わせるための操作子であって、ケース１に往復動可能に挿設されるスライダ５と、このスライダ５と可動接触子４との間に介設されて、該スライダ５を押圧操作方向とは逆向きに付勢する圧縮コイルばね６と、スライダ５のハート形の溝５ａに係合してケース１に保持される係止ピン７と、このプッシュスイッチを外部機器へ取り付ける際の取付板であって、ケース１にかしめ固定されるとともに該ケース１から突出するスライダ５のガタをガイド片８ａにて規制する金属枠８とによって、構成されている。略Ｖ字形状に折り曲げられた可動接触子４は導体板とも称されるもので、該可動接触子４の一方の折曲部分の先端部は連結端部４ｄとなっており、この連結端部４ｄに圧縮コイルばね６の一端が掛止されている。また、接点部４ａは可動接触子４の他方の折曲部分に設けられており、この折曲部分の先端部は被駆動部４ｂとなっている。
【００１０】
また、図２〜図４の動作説明図に示すように、スライダ５の内側面先端部には、その往復動時に、可動接触子４の被駆動部４ｂと係合して該可動接触子４を強制的に傾動させる凹状の駆動部５ｂ，５ｃが設けてある。また、図２〜図４とは９０度異なる方向から見た断面図である図５に示すように、このプッシュスイッチは、圧縮コイルばね６から可動接触子４に付与される弾発力の向きが、該可動接触子４の回動面に対して非平行な向きに設定してある。すなわち、可動接触子４の傾動は、図５の左右方向に延びて紙面と直交する平面に対して平行に行われるが、圧縮コイルばね６は該平面に対して図示下向きに若干傾けた状態で可動接触子４を付勢しており、そのため、可動接触子４のうち支持端子２の凹部底面２ａ上に搭載される幅狭な支点部４ｃは、その一側面が該支持端子２の一方の凹部壁面２ｂに常時弾接されている。なお、スライダ５の溝５ａと係止ピン７とによりハートカム機構が構成されていて、操作者がスライダ５を所定ストローク押し込んでスイッチオンさせるとオン状態のまま該スライダ５はロックされ、もう一度スライダ５を押し込むとロックが解除されてオフ状態に切り替わるようになっている。
【００１１】
次に、上述したプッシュスイッチの動作について説明する。
図２に示すオフ状態でスライダ５を図示左方向へ押圧操作すると、このスライダ５に押し込まれる圧縮コイルばね６が圧縮しながら可動接触子４の連結端部４ｄを押し込んでいくが、すぐにスライダ５の駆動部５ｂが可動接触子４の被駆動部４ｂと係合して該可動接触子４を図示時計回りの向きに強制的に傾動させるので、図３に示すように連結端部４ｄが死点を越えた瞬間に、可動接触子４は勢いよく傾動して接点部４ａが固定接触子３に当接し、図４に示すように可動接触子４を介して固定接触子３と支持端子２とが導通されるオン状態に切り替わる。ただし、連結端部４ｄが死点を越えて接点部４ａが勢いよく固定接触子３へ向かうとき、押圧操作の慣性力を受けるスライダ５は圧縮コイルばね６を介して可動接触子４を背後から押し込むことになるので、接点部４ａが固定接触子３に当接すると、背後からスライダ５に押し込まれる圧縮コイルばね６は急速に圧縮されていく。つまり、可動接触子４の接点部４ａが固定接触子３に当接するとき、該可動接触子４が圧縮コイルばね６から受ける弾発力は速やかに増大していくので、接点部４ａが固定接触子３上で大きなバウンスを起こす心配はない。なお、こうしてプッシュスイッチがオン状態に切り替わると、前記ハートカム機構により、スライダ５は図４の位置でロックされる。
【００１２】
また、オン状態で再びスライダ５を押圧操作すると、前記ハートカム機構によるスライダ５のロックが解除されるので、圧縮コイルばね６の弾発力でスライダ５は押圧操作方向とは逆向きに移動していく。すると、スライダ５の駆動部５ｃが可動接触子４の被駆動部４ｂと係合して該可動接触子４を強制的に傾動させるので、接点部４ａが固定接触子３から離されてオフ状態となった直後に、連結端部４ｄが死点を越えて可動接触子４は勢いよく傾動し、図２の状態に戻る。
【００１３】
なお、上述したプッシュスイッチを組み立てる際には、予めスライダ５に圧縮コイルばね６を組み込み、一方、ケース１内に支持端子２と固定接触子３を圧入固定し、可動接触子４を仮配置した後、この可動接触子４の支点部４ｃよりも屈曲部４ｅに近い側を、支持端子２の凹部２ｃ側の先端２か所に押しつけるようにして、スライダ５をケース１内に挿入していけば、その押圧力で可動接触子４が固定接触子３の側へ平行移動していくので、その幅狭な支点部４ｃを支持端子２の凹部２ｃ内へ、また、被駆動部４ｂをスライダ５の駆動部５ｂ，５ｃ内へ容易に嵌入させることができる。
【００１４】
このように本実施例にあっては、スライダ５を押圧操作してオフからオン状態へと切り替える際に、駆動部５ｂが被駆動部４ｂと係合して可動接触子４を強制的に傾動させていき、可動接触子４が死点を越えて傾動して勢いよく固定接触子３へ向かうと、押圧操作の慣性力を受けるスライダ５が圧縮コイルばね６を介して可動接触子４を背後から押し込むようになっている。そのため、可動接触子４の接点部４ａが固定接触子３に当接するとき、圧縮コイルばね６の弾発力を速やかに増大させることができて、該接点部４ａのバウンスが効果的に抑制できる。また、可動接触子４の連結端部４ｄを圧縮コイルばね６が常に斜めに押し込むようなオフセットの位置関係を採用して、可動接触子４の支点部４ｃの一側面が支持端子２の一方の凹部壁面２ｂに常時弾接されるようにしてあるので、オフからオン状態へ切り替わる際に懸念される支点部４ｃのバウンスも効果的に抑制されている。しかも、本実施例では圧縮コイルばね６が可動接触子４に弾発力を付与するだけでなく、押圧操作されたスライダ５を初期位置へと自動復帰させる復帰ばねの役目も果たしているので、部品点数が削減できてプッシュスイッチのコストダウンにも有利である。
【００１６】
【発明の効果】
本発明によるプッシュスイッチは以上説明したような形態で実施され、以下に記載されるような効果を奏する。
【００１７】
スライダの往復動時に該スライダに設けた駆動部によって可動接触子を強制的に傾動させて固定接触子に当接させ、このときに該可動接触子とスライダとの間に介設した圧縮コイルばねの弾発力が速やかに増大して、固定接触子上での可動接触子のバウンスが大幅に抑制できる構成になっているので、アーク熱による焼損で接点不良を招来する可能性が低く、信頼性や寿命の向上が図れる。
しかも、前記圧縮コイルばねは可動接触子に弾発力を付与するだけでなく、押圧操作されたスライダを初期位置へと自動復帰させる復帰ばねの役目も果たしているので、部品点数も削減できる。
【００１８】
また、可動接触子のうち支持端子上に搭載される部分（支点部）の一側面が該支持端子の壁面に常時弾接する構成にしておけば、可動接触子が支持端子上で起こすバウンスも大幅に低減できて、信頼性や寿命が一層向上する。
【図面の簡単な説明】
【図１】本発明の一実施例に係るプッシュスイッチの分解斜視図である。
【図２】同実施例におけるスイッチオフ状態を示す動作説明図である。
【図３】同実施例におけるオンオフ切替途中の状態を示す動作説明図である。
【図４】同実施例におけるスイッチオン状態を示す動作説明図である。
【図５】同実施例における可動接触子と圧縮コイルばねのオフセットな位置関係を示す断面図である。
【符号の説明】
１  ケース
２  支持端子
２ａ  凹部底面
２ｂ  凹部壁面
３  固定接触子
４  可動接触子
４ａ  接点部
４ｂ  被駆動部
４ｃ  支点部
５  スライダ
５ｂ，５ｃ  駆動部
６  圧縮コイルばね
７  係止ピン
８  金属枠
【図１】
0003718576.tif 000002
【図２】
0003718576.tif 000003
【図３】
0003718576.tif 000004
【図４】
0003718576.tif 000005
【図５】
0003718576.tif 000006